(57)【特許請求の範囲】
【請求項１】
最初のサービス提供許可を無線送受信ユニット（ＷＴＲＵ）が受信する方法であって、
前記ＷＴＲＵが、Ｅ−ＤＣＨの機能のサブセットを使用して提供されるランダムアクセスチャネルで送信されＡＩＣＨで肯定応答された最後のプリアンブルシーケンスの電力に対する前記ＷＴＲＵが使用することができる最大量のアップリンク無線リソースに相当する電力の比として解釈可能な最初のサービス提供許可をブロードキャストチャネル上で受信するステップであって、該最初のサービス提供許可がセル固有である、ステップを有することを特徴とする方法。
【請求項２】
前記最初のサービス提供許可とは異なるものである、Ｅ−ＡＧＣＨ上で送信される絶対的許可またはＥ−ＲＧＣＨ上で送信される相対的許可は、前記Ｅ−ＤＣＨの機能のサブセットを使用して提供されるランダムアクセスチャネル上でメッセージ部分を送信している間は前記ＷＴＲＵの通信相手である基地局から前記ＷＴＲＵに送信されないことを特徴とする請求項１に記載の方法。
【請求項３】
前記ＷＴＲＵが、前記Ｅ−ＤＣＨの機能のサブセットを使用して提供されるランダムアクセスチャネル上でメッセージ部分を送信している間、前記最初のサービス提供許可を保持することを特徴とする請求項１又は２に記載の方法。
【請求項４】
無線送受信ユニット（ＷＴＲＵ）であって、
Ｅ−ＤＣＨの機能のサブセットを使用して提供されるランダムアクセスチャネルで送信されＡＩＣＨで肯定応答された最後のプリアンブルシーケンスの電力に対する前記ＷＴＲＵが使用することができる最大量のアップリンク無線リソースに相当する電力の比として解釈可能な最初のサービス提供許可をブロードキャストチャネル上で受信するように構成された受信機であって、該最初のサービス提供許可がセル固有である、受信機を備えたことを特徴とするＷＴＲＵ。
【請求項５】
前記最初のサービス提供許可とは異なるものである、Ｅ−ＡＧＣＨ上で送信される絶対的許可またはＥ−ＲＧＣＨ上で送信される相対的許可は、前記Ｅ−ＤＣＨの機能のサブセットを使用して提供されるランダムアクセスチャネル上でメッセージ部分を送信している間は前記ＷＴＲＵの通信相手である基地局から前記ＷＴＲＵに送信されないことを特徴とする請求項４に記載のＷＴＲＵ。
【請求項６】
前記Ｅ−ＤＣＨの機能のサブセットを使用して提供されるランダムアクセスチャネル上でメッセージ部分を送信している間、前記最初のサービス提供許可を保持することを特徴とする請求項４又は５に記載のＷＴＲＵ。
【発明の詳細な説明】
【技術分野】
【０００１】
本出願は、無線通信に関する。
【背景技術】
【０００２】
多くのセルラー通信システムにおいて、無線リソースへのアクセスは、無線ネットワークによって制御される。無線送受信ユニット（ＷＴＲＵ）は、ネットワークに送信すべきデータを有するとき、そのデータペイロードを送信する前に、無線リソースアクセスを取得する。例えば、３ＧＰＰ（３ｒｄ  Ｇｅｎｅｒａｔｉｏｎ  Ｐａｒｔｎｅｒｓｈｉｐ  Ｐｒｏｊｅｃｔ）ネットワークにおいてこれを達成するために、ＷＴＲＵは、ランダムアクセスチャネル（ＲＡＣＨ）にアクセスしなければならない。ＲＡＣＨへのアクセスは、競争的（ｃｏｎｔｅｎｔｉｏｕｓ）であり、衝突、すなわち２つのＷＴＲＵがリソースに同時にアクセスしている場合の可能性を低減するための機構がある。
【０００３】
ランダムアクセスの手順は、電力の起動、次いでチャネル取得情報およびメッセージ送信を含むプリアンブルのフェーズ（ｐｒｅａｍｂｌｅ  ｐｈａｓｅ）を含む。競争的なＲＡＣＨの性質から、ＷＴＲＵが長時間共有無線リソースを保持することを回避するために、また電力制御がないことから、ＲＡＣＨで比較的短いメッセージペイロードが送信され、それによってデータレートが比較的低くなる。したがって、ＲＡＣＨは、一般に、短い制御メッセージの送信に使用される。一般に、より大きいデータレートを要求するＷＴＲＵは、ネットワークによって、専用リソースを使用するように制御されることになる。
【０００４】
ＲＡＣＨによって提供されるデータレートは、主として音声通信に対応するだけのネットワークで通常使用される短い制御メッセージの送信には十分であるが、インターネットブラウジング、電子メールなど、非リアルタイムのデータサービスに関連するデータメッセージの送信には非効率である。これらのデータサービスでは、トラフィックは、本来、バースト的であり、送信と送信の間に、長い非アクティブ期間が存在する場合がある。キープアライブメッセージの頻繁な送信を必要とする一部のアプリケーションの場合、これにより、例えば、専用リソースを非効率に使用することとなる。したがって、代わりに、ネットワークが共有リソースをデータ送信に使用することが有利となる場合がある。しかし、既存のＲＡＣＨによって提供されるデータレートは低く問題となる。
【０００５】
図１は、従来技術による共有拡張専用チャネル（Ｅ−ＤＣＨ）によるＲＡＣＨアクセスを示す図である。以下「Ｅ−ＲＡＣＨ」と呼ぶＥ−ＤＣＨによるＲＡＣＨアクセスには、ＲＡＣＨプリアンブルフェーズ１０２、初期リソース割り当て１０４、衝突検出と解消１０６、Ｅ−ＲＡＣＨメッセージ部分１０８、およびリソースの解放１１０、または他の状態への遷移が含まれる。
【０００６】
ＷＴＲＵは、複数の状態で動作することができる。ＷＴＲＵがＣＥＬＬ＿ＤＣＨ状態である間のＥ−ＤＣＨの形は、ＣＥＬＬ＿ＦＡＣＨ状態での使用には最適でない場合がある。ＣＥＬＬ＿ＦＡＣＨの状態において、Ｅ−ＤＣＨには、主に３つの問題点がある。第１に、共有環境における肯定／否定応答（ＡＣＫ／ＮＡＣＫ）信号伝達によるハイブリッド自動再送要求（ｈｙｂｒｉｄ  ａｕｔｏｍａｔｉｃ  ｒｅｐｅａｔ  ｒｅｑｕｅｓｔ）（ＨＡＲＱ）プロセスは、特に、媒体アクセス制御（ＭＡＣ）プロトコルデータユニット（ＰＤＵ）を１つだけ送信する必要があるとき、非効率的である。ＭＡＣ  ＰＤＵには、ＭＡＣ−ｅＰＤＵ、ＭＡＣ−ｉＰＤＵ、または物理層に渡される他の任意のタイプのＭＡＣレベルのＰＤＵが含まれる。第２に、非常に多くのダウンリンク（ＤＬ）制御チャネルがありすぎることである。さらに、拡張−専用物理制御チャネル（Ｅ−ＤＰＣＣＨ）のオーバーヘッドが高すぎる。
【０００７】
Ｅ−ＲＡＣＨメッセージ部分の間に、一定の時間間隔で再送が行われる。例えば、再送は、１０ｍｓの送信時間間隔（ＴＴＩ）を使用するシステムでは３ＴＴＩ、また２ｍｓのＴＴＩを使用するシステムでは７ＴＴＩだけ間をおいてなされる。ＨＡＲＱプロセスがすべて使用されるわけではない場合、Ｅ−ＲＡＣＨは、高負荷であり、非効率である。さらに、送信していない期間でさえ、電力制御ループは維持されなければならない。
【０００８】
ＨＡＲＱ再送は、ＨＡＲＱプロセスのすべてが使用されるわけではない共有無線リンクの状況では非効率となる可能性がある。例えば、ＷＴＲＵは、単一のＭＡＣ−ｅＰＤＵを送信するために、共有Ｅ−ＲＡＣＨにアクセスすることができる。ＭＡＣ−ｅＰＤＵは、十分小さい場合、例えば、ＨＡＲＱプロセス１など、単一のＨＡＲＱプロセスで送信される。Ｅ−ＤＣＨの場合を考える、ＮｏｄｅＢが、対応するＨＡＲＱインジケータチャネル（Ｅ−ＨＩＣＨ）においてＮＡＣＫで応答する場合、次のＨＡＲＱプロセス１で再送が行われる。これは、２ｍｓのＴＴＩを使用したシステムでは１４ｍｓ後、１０ｍｓのＴＴＩを使用したシステムでは３０ｍｓ後に行われることとなる。したがって、単一のＭＡＣ−ｅＰＤＵが送信されるたびに、２ｍｓのＴＴＩの場合、ＨＡＲＱプロセスの７／８が未使用であり、１０ｍｓのＴＴＩの場合、ＨＡＲＱプロセスの３／４が未使用となる。ＷＴＲＵが転送すべきデータを比較的大量に有してない限り、共有リソースをこのように使用することは結果的に無駄なものとなる。
【発明の概要】
【発明が解決しようとする課題】
【０００９】
したがって、アップリンクＲＡＣＨにおけるＥ−ＤＣＨの効率的な使用のための一連の機構を有することが望ましい。
【課題を解決するための手段】
【００１０】
無線送信受信ユニットにおいて信号伝達するための方法および装置が開示される。この方法は、ＷＴＲＵが最大再送回数の値を受信し、複数のＨＡＲＱプロセスでデータを再送することを含むことができる。ＨＡＲＱプロセスは、最大再送回数の値によって制限することができる。
【００１１】
単一のＷＴＲＵから送信された複数のＰＤＵを時間多重化することができる。さらに、複数のＷＴＲＵからの送信を時間多重化することもできる。
【００１２】
ＷＴＲＵは、ブロードキャストチャネルでセル固有の許可を受信することができる。この許可は、固定または絶対的とすることができる。ＷＴＲＵは、非サービスセルを監視することもできる。
【００１３】
添付の図面と共に例として示される以下の説明から、より詳しい理解を得ることができよう。
【図面の簡単な説明】
【００１４】
【図１】従来技術によるＥ−ＤＣＨによるＲＡＣＨアクセスを示す図である。
【図２】複数の無線送受信ユニット（ＷＴＲＵ）および基地局を含む無線通信システム例を示す図である。
【図３】図２のＷＴＲＵおよび基地局を示す機能ブロック図である。
【図４】一実施形態によるＭＡＣ−ｅＰＤＵの送信を示す図である。
【図５】代替実施形態によるＭＡＣ−ｅＰＤＵの送信を示す図である。
【図６】一実施形態による１０ｍｓＴＴＩのＨＡＲＱ時間多重化を示す図である。
【図７】一実施形態による２ｍｓＴＴＩのＨＡＲＱ時間多重化を示す図である。
【図８】代替実施形態による２ｍｓＴＴＩのＨＡＲＱ時間多重化を示す図である。
【発明を実施するための形態】
【００１５】
以下で参照される場合、「ＷＴＲＵ（無線送受信ユニット）」という用語には、それだけには限定されないが、ＵＥ（ユーザ機器）、移動局、固定式または携帯式の加入者ユニット、ページャ、セルラー電話、ＰＤＡ（個人用デジタル補助装置）、コンピュータ、または無線環境で動作することができる他の任意のタイプのユーザ装置が含まれる。以下で参照される場合、「基地局」という用語には、それだけに限定されないが、Ｎｏｄｅ−Ｂ、サイトコントローラ、ＡＰ（アクセスポイント）、または無線環境で動作することができる他の任意のタイプのインターフェイス装置が含まれる。以下で参照するとき、「ＭＡＣ−ｅＰＤＵ」という用語には、それだけには限定されないが、ＭＡＣ−ｅＰＤＵ、ＭＡＣ−ｉＰＤＵ、または物理層に渡される他の任意のタイプのＭＡＣレベルのＰＤＣが含まれる。
【００１６】
Ｅ−ＲＡＣＨ（ｅｖｏｌｖｅｄ  ｒａｎｄｏｍ  ａｃｃｅｓｓ  ｃｈａｎｎｅｌ）は、Ｅ−ＤＣＨ（ｅｖｏｌｖｅｄ  ｄｅｄｉｃａｔｅｄ  ｃｈａｎｎｅｌ）によって提供される機能のサブセットを使用することができる。図２は、複数のＷＴＲＵ２１０および１つの基地局２２０を備える無線通信システム２００を示す。図２に示されるように、ＷＴＲＵ２１０は、基地局２２０と通信する。図２には３つのＷＴＲＵ２１０および１つの基地局２２０を示すが、無線および有線の装置の任意の組合せが無線通信システム２００に含まれることに留意されたい。各ＷＴＲＵ２１０は、Ｅ−ＲＡＣＨを介して局２２０と通信することができる。
【００１７】
図３は、図２の無線通信システム２００のＷＴＲＵ２１０および基地局２２０の機能ブロック図３００である。図２に示すように、ＷＴＲＵ２１０は、基地局２２０と通信する。いずれも、Ｅ−ＲＡＣＨ（拡張ランダムアクセスチャネル）を介して通信するように構成されている。
【００１８】
通常のＷＴＲＵで考えることができる構成要素に加えて、ＷＴＲＵ２１０は、プロセッサ３１５、受信機３１６、送信機３１７、およびアンテナ３１８を備える。プロセッサ３１５は、ＷＴＲＵ２１０がＥ−ＲＡＣＨを介して通信するのに必要なすべての処理を実行するように構成されている。受信機３１６は、ＮｏｄｅＢから信号を受信するように構成されており、送信機３１７は、Ｅ−ＲＡＣＨを介して信号を送信するように構成されている。受信機３１６および送信機３１７は、プロセッサ３１５と通信する。アンテナ３１８は、無線データの送受信を容易にするために、受信機３１６および送信機３１７の両方と通信する。
【００１９】
通常の基地局で考えられる構成要素に加えて、基地局２２０は、プロセッサ３２５、受信機３２６、送信機３２７、およびアンテナ３２８を備える。受信機３２６は、Ｅ−ＲＡＣＨを介して信号を受信するように構成されており、送信機３２７は、ＷＴＲＵに信号を送信するように構成されている。受信機３２６および送信機３２７は、プロセッサ３２５と通信する。アンテナ３２８は、無線データの送受信を容易にするために、受信機３２６および送信機３２７の両方と通信する。
【００２０】
ＨＡＲＱ再送および関連する信号伝達は、Ｅ−ＲＡＣＨで効率的に実施することができる。ＨＡＲＱ再送の回数は、ネットワークによって、最大再送の値、すなわちＭＡＸ＿ＲＴＸに固定することができ、この場合、ＭＡＸ＿ＲＴＸは整数値である。値は、ブロードキャストチャネルで信号伝達するか、構成時、無線リソース制御（ＲＲＣ）メッセージングによってＷＴＲＵに信号伝達するか、または予め定義しておくことができる。
【００２１】
各ＭＡＣ−ｅＰＤＵによる結果得られたトランスポートブロックは、連続してＭＡＸ＿ＲＴＸ回送信される。任意選択で、ＡＣＫ／ＮＡＣＫは、ＭＡＣ−ｅＰＤＵの送信の成功を示すために、ＭＡＸ＿ＲＴＸ送信の最後に、ネットワークによって、対応するＥ−ＨＩＧＨで送信することができる。
【００２２】
複数（Ｎ個）のＭＡＣ−ｅＰＤＵは、時間ダイバシティを使用するために、時間多重化する場合がある。図４は、一実施形態によるＭＡＣ−ｅＰＤＵ４００の送信を示す。第１の送信４０４で、ＷＴＲＵは、多重化されたＭＡＣ−ｅＰＤＵ（４０２、４０６）を送信することができる。第１の送信４０４は、第１のＴＴＩ４０８で送信されたＭＡＣ−ｅＰＤＵ＿１（４０２）、およびＮ番目のＴＴＩ４１０で送信されたＭＡＣ−ｅＰＤＵ＿Ｎ４０６を含むことができる。ＷＴＲＵは、いくつのＰＤＵが送信されるべきかを知っていなければならない。ＭＡＣ−ｅＰＤＵ＿１（４０２）は、ＴＴＩ＿１  ４０８からＴＴＩ＿Ｎ４１０まで各ＴＴＩで送信され、ＭＡＸ＿ＲＴＸ回再送される。（ＭＡＸ＿ＲＴＸ）−１の送信４１２は、ＴＴＩ＿Ｎｘ（ＭＡＸ＿ＲＴＸ−１）＋１（４１４）で再送されたＭＡＣ−ｅＰＤＵ＿１（４０２）、およびＴＴＩ＿ＮｘＭＡＸ＿ＲＴＸ４１６で再送されたＰＤＵ＿Ｎ４０６を含む。Ｎｏｄｅ−Ｂは、ＴＴＩ＿Ｎｘ（ＭＡＣ＿ＲＴＸ−１）＋１（４１４）の後の第１の対応するＡＣＫ／ＮＡＣＫ４２０、およびＴＴＩ＿Ｎｘ（ＭＡＸ＿ＲＴＸ）４１６の後のＮ番目の対応するＡＣＫ／ＮＡＣＫ４２２を送信する。
【００２３】
この手法は、Ｅ−ＲＡＣＨメッセージ部分を開始する前に、送信すべきＭＡＣ−ｅＰＤＵの数をＷＴＲＵが既知のとき使用することができる。送信すべきＭＡＣ−ｅＰＤＵの数は、Ｅ−ＤＰＣＣＨにおいてフィールドを追加し、または置き換えることによって、地上無線アクセスネットワーク（ＵＭＴＳ  ＵＴＲＮ）に対して明示的に示すことができる。
あるいは、ＮｏｄｅＢは、ＭＡＣ−ｅヘッダーおよび他の情報からやみくもに情報を復号することができる。
【００２４】
ＭＡＣ−ｅＰＤＵは、連続的に送信することができる。図５は、代替実施形態によるＭＡＣ−ｅＰＤＵ５００の送信を示す。ＭＡＣ−ｅＰＤＵ＿１  ５０２は、ＴＴＩ＿１（５０４）からＴＴＩ＿ＭＡＸ＿ＲＴＸ５０６までで送信される。ＡＣＫ／ＮＡＣＫ５０８は、ＷＴＲＵ送信に応答して、ＴＴＩ＿ＭＡＸ＿ＲＴＸ５０６の後にＮｏｄｅ−Ｂから送信される。同様に、ＭＡＣ−ｅＰＤＵ＿Ｎ５１０は、ＴＴＩ＿（Ｎ−１）ｘＭＡＸ＿ＲＴＸ＋１  ５１２からＴＴＩ＿ＮｘＭＡＣ＿ＲＴＸ５１４で送信される。第２のＡＣＫ／ＮＡＣＫ５１６は、ＴＴＩ＿ＮｘＭＡＣ＿ＲＴＸ５１４の後に送信される。この手法は、Ｅ−ＲＡＣＨメッセージ部分の送信を開始するときに送信すべきＭＡＣ−ｅＰＤＵの数をＷＴＲＵが既知でないとき、使用することができる。
【００２５】
ＡＣＫ／ＮＡＣＫは、ＮｏｄｅＢがそれぞれのＭＡＣ−ｅＰＤＵに属するすべてのＨＡＲＱ再送を受信した後、ダウンリンクで送信することができる。これは、Ｅ−ＨＩＣＨのリソースを必要とする場合があり、または待ち時間全体を低減しながら、この目的で設計された、異なる、場合によっては共有のチャネルを使用することもできる。ＷＴＲＵは、同じＥ−ＲＡＣＨメッセージ部分の送信、またはその後のＲＡＣＨアクセスにおいて成功しなかったトランスポートブロックを再送するかどうかを決定することができる。
【００２６】
複数のＭＡＣ−ｅＰＤＵが存在するときＷＴＲＵによって使用される送信手順は、予め構成する、上位層によって、例えばブロードキャストチャネルで、またはＲＲＣ構成メッセージを使用して信号伝達する、または例えば層１（Ｌ１）または層２（Ｌ２）のメッセージなど、位置更新メッセージを使用して信号伝達することができる。あるいは、送信手順は、ＭＡＣヘッダーにおける送信シーケンスナンバー、または別の新しいまたは既存の情報フィールドから推論することができる。送信手順は、リアルタイムでＷＴＲＵによって決定することができる。
【００２７】
Ｅ−ＲＡＣＨを使用するとき、ＮｏｄｅＢは、受信確認表示チャネル（Ａｃｑｕｉｓｉｔｉｏｎ  Ｉｎｄｉｃａｔｏｒ  Ｃｈａｎｎｅｌ）（ＡＩＣＨ）でのプリアンブルフェーズおよび肯定応答によって、ＷＴＲＵがデータの送信をいつ開始するかがわかる。したがって、再送の回数が固定されている場合でさえ、Ｅ−ＲＡＣＨで、増分冗長を使用することができる。冗長バージョンパラメータは、すべての再送について、ＮｏｄｅＢによって構成することができる。この情報は、ブロードキャストチャネルで信号伝達する、構成時、ＲＲＣメッセージによって各ＷＴＲＵに信号伝達する、または予め構成することができる。
【００２８】
Ｅ−ＤＰＣＣＨにおける冗長バージョンのために確保されたビットフィールドは完全に削除することができ、したがって、Ｅ−ＤＰＣＣＨ電力オーバーヘッドの低減が可能になる。あるいは、そのビットフィールドを異なる機能に割り当てることができる。さらに、Ｅ−ＲＡＣＨフェーズを、チェイス合成法（ｃｈａｓｅ  ｃｏｍｂｉｎｉｎｇ）を使用するように構成することができる。冗長バージョン情報フィールドをＥ−ＤＰＣＣＨヘッダーから削除することもできる。
【００２９】
ＨＡＲＱプロセスは、同じスクランブルコードを共有するＷＴＲＵ中で時間多重化することができ、これにより、符号の使用を向上させることができる。ＷＴＲＵは、密な同期を有していない場合があるため、ＮｏｄｅＢが同じチャネルで同時に１つのＷＴＲＵのみから信号を確実に受信するようにするために指定されたガードインターバルがある可能性がある。ガードインターバルは、１つのＴＴＩとすることができる。伝搬遅延がガードインターバルよりかなり小さいため、オープンループ同期が効率的なので、ＷＴＲＵは、共通ダウンリンクチャネル基準（ｃｏｍｍｏｎ  ｄｏｗｎｌｉｎｋ  ｃｈａｎｎｅｌ  ｒｅｆｅｒｅｎｃｅ）に同期される。
【００３０】
ＷＴＲＵを時間多重化することは、１０ｍｓのＴＴＩおよび２ｍｓのＴＴＩで達成することができる。１０ｍｓのＴＴＩでは、単一のＨＡＲＱプロセスで送信する２つのＷＴＲＵは、Ｅ−ＲＡＣＨチャネルを共有することができる。図６は、一実施形態による１０ｍｓＴＴＩのＨＡＲＱ時間多重化６００を示す。ＷＴＲＵ＿１  ６０２は、ＴＴＩ＿１  ６０６でＰＤＵ＿１  ６０４を送信する。ＰＤＵ＿１  ６０４は、ＴＴＩ＿５  ６０８およびＴＴＩ＿９  ６１０で再送される。ＰＤＵ＿１  ６０４は、４ＴＴＩごとにしか送信できない。
【００３１】
ＷＴＲＵ＿２  ６１２では、ＰＤＵ＿１  ６１４は、ＴＴＩ＿３  ６１６で送信される。これは、ＷＴＲＵ＿１  ６０２の送信とＷＴＲＵ＿２  ６０４の送信との間に１０ｍｓのガードＴＴＩ６１８を残している。ＰＤＵ＿１  ６１４も、４ＴＴＩごとに再送される。ＷＴＲＵ＿２  ６１２からのＰＤＵ＿１  ６１４の第１の再送は、ＴＴＩ＿７  ６２０である。
【００３２】
図７は、一実施形態による２ｍｓＴＴＩのＨＡＲＱ時間多重化７００を示す。各ＷＴＲＵは、８つのＨＡＲＱプロセスの組につき３つまでのＭＡＣ−ｅＰＤＵを送信することができる。図７に示されるように、ＷＴＲＵ＿１  ７０２は、ＴＴＩ＿１（７０６）でＰＤＵ＿１（７０４）、ＴＴＩ＿２（７１０）でＰＤＵ＿２（７０８）、およびＴＴＩ＿３（７１４）でＰＤＵ＿３（７１２）を送信する。ＴＴＩ＿４（７１６）は、２ｍｓのバッファＴＴＩであり、その後、ＷＴＲＵ＿２（７２０）は、ＴＴＩ＿５（７２４）でＰＤＵ＿４（７２２）、ＴＴＩ＿６（７２８）でＰＤＵ＿５（７２６）、およびＴＴＩ＿７（７３２）でＰＤＵ＿６（７３０）を送信する。ＴＴＩ＿８（７３４）は、第２の２ｍｓバッファＴＴＩであり、その後、ＷＴＲＵ＿１（７０２）は、ＴＴＩ＿９（７３６）でＰＤＵ＿１（７０４）、ＴＴＩ＿１０（７３８）でＰＤＵ＿２（７０６）、およびＴＴＩ＿１１（７４０）でＰＤＵ＿３（７０８）を再送する。
【００３３】
図８は、代替実施形態による２ｍｓＴＴＩのＨＡＲＱ時間多重化８００を示す図である。ＷＴＲＵごとに、８つのＨＡＲＱプロセスの組につき２つのＭＡＣ−ｅＰＤＵを送信することができる。２つのガード期間の間の単一のＰＤＵ送信では、４つまでのＷＴＲＵが同じＥ−ＲＡＣＨチャネルを共有することができる。図８に示すように、ＷＴＲＵ＿１（８０２）は、ＴＴＩ＿１（８０６）でＰＤＵ＿１（８０４）を送信する。ＴＴＩ＿２（８０８）は、２ｍｓのガードＴＴＩである。ＷＴＲＵ＿２（８１０）は、ＴＴＩ＿３（８１４）でＰＤＵ＿３（８１２）を送信する。ＴＴＩ＿４（８２６）は、２ｍｓのガードＴＴＩである。ＰＤＵ＿２（８１６）は、ＷＴＲＵ＿１（８０２）によってＴＴＩ＿５（８１８）で送信される。それぞれ２ｍｓのバッファＴＴＩの後に、ＰＤＵ＿４（８２２）は、ＷＴＲＵ＿２（８１０）によってＴＴＩ＿７（８２４）で送信され、ＰＤＵ＿１（８０４）は、ＴＴＩ＿９（８２０）で再送される。
【００３４】
時間多重化情報およびサブＨＡＲＱプロセスの割り当ては、信号伝達によってＷＴＲＵに示すことができる。時間多重化は、各セルに一意とすることができ、ブロードキャストするか、システム全体について予め定義するか、またはＷＴＲＵベースで決定し、Ｅ−ＲＡＣＨメッセージ部分の前に、Ｌ１  Ｌ２または層３（Ｌ３）メッセージングを使用して信号伝達することができる。サブＨＡＲＱプロセスの割り当ては、例えば、アクセススロットタイミングに基づくことができる。
【００３５】
ＷＴＲＵが使用することができる最大量のＵＬ（アップリンク）無線リソースをＷＴＲＵに示すために、許可を使用することができる。許可は、ＴＴＩ当たり１回の速さで送信することができる。絶対的許可は、ＷＴＲＵが使用することができる最大量のＵＬ（アップリンク）リソースの絶対的な制限を提供する。相対的許可では、その前のレベルと比較して、リソースの制限を強め、あるいは弱める。
【００３６】
Ｅ−ＲＡＣＨメッセージ部の前に、ＵＬ  ＤＰＣＣＨはなく、したがって、最初の許可は、Ｅ−ＲＡＣＨで送信され、ＡＩＣＨで肯定応答された最後のプリアンブルシーケンスの電力に対する電力比として解釈することができる。ＤＰＣＣＨ電力制御ループがいったん開始されると、または十分安定しているとみなされた後、許可の解釈を変更することができる。
【００３７】
最初の許可の値は、セル固有、またはＥ−ＰＲＡＣＨ固有とすることができる。ＣＥＬＬ＿ＦＡＣＨ状態およびアイドルモードでのＥ−ＤＣＨを考慮して、用語「Ｅ−ＰＲＡＣＨ」は、共有Ｅ−ＤＣＨリソースを指す。いずれの場合も、ブロードキャストで信号伝達するか、ＷＴＲＵの構成時、ＲＲＣメッセージを介して信号伝達するか、または予め定義することもできる。
【００３８】
固定の許可が使用される場合、Ｅ−ＲＡＣＨメッセージ部の間で送信される絶対的または相対的な許可がないことがある。ＷＴＲＵは、Ｅ−ＲＡＣＨメッセージ部の送信の全継続時間の間、その最初の許可を保持する。これにより、ダウンリンク制御チャネルの数が節約されることとなる。例えば、絶対的許可チャネル（Ｅ−ＡＧＣＨ）および相対的許可チャネル（Ｅ−ＲＧＣＨ）は、必要ない場合がある。
【００３９】
ＡＩＣＨで絶対的許可が使用される場合、物理ランダムアクセスチャネル（Ｅ−ＰＲＡＣＨ）ごとの絶対的許可は、ＡＩＣＨの後の非アクティブ期間中に送信される。ＡＩＣＨは、単一のＥ−ＰＲＡＣＨに専用であるため、絶対的許可は、目的のＷＴＲＵの識別を含む必要はない。許可は、比較的少ない数の情報ビットを含むように簡略化することができる。これにより、Ｅ−ＲＧＣＨおよびＥ−ＡＧＣＨの必要性を低減させることができ、またはそもそも不要とすることができる。
【００４０】
上述したように、固定数のＨＡＲＱ送信を使用するとき、Ｅ−ＨＩＣＨは、必要ない場合がある。同様に、上述したように、許可機構に応じて、Ｅ−ＡＧＣＨおよびＥ−ＲＧＣＨを無くすことができ、それによって、制御チャネルの数および関連のオーバーヘッドがさらに低減する。
【００４１】
Ｅ−ＡＧＣＨが除かれる場合、ＷＴＲＵ識別（例えば、Ｅ−ＲＮＴＩ）は、ダウンリンク制御信号伝達にはもはや必要なくなる。
【００４２】
ＷＴＲＵは、ＣＥＬＬ＿ＦＡＣＨ状態にあるとき、アクティブなセットを持たない場合がある。したがって、ＷＴＲＵは、それが接続されるセルの制御チャネルのみを監視することができる。非サービス提供の相対的許可を可能にするために、ＷＴＲＵは、ＣＥＬＬ＿ＤＣＨ状態に移され、どのＮｏｄｅＢがそのアクティブなセットの一部であるかが伝えられる。
【００４３】
しかし、ＷＴＲＵが監視することができるセルを制限する必要がない場合があり、したがって、非サービス提供の相対的な許可の使用が可能になる。ＷＴＲＵは、いくつかの非サービス提供のＥ−ＲＧＣＨを監視するように構成することができる。監視するための非サービス提供のＥ−ＲＧＣＨの組は、セル固有とすることができる。Ｅ−ＲＧＣＨスクランブルコードの組、チャネライゼーションコード、および署名は、ブロードキャストチャネルで信号伝達する、または構成時、ＲＲＣメッセージを介して信号伝達することができる。
【００４４】
ＣＥＬＬ＿ＦＡＣＨにおいてＥ−ＲＡＣＨによって必要なリソースの量および関連するオ―バーヘッドを低減するために、制御チャネルの数および使用を低減することができる。これにより、これらのチャネルに関連するリソース情報はもはや必要ない場合があるので、Ｅ−ＲＡＣＨ構成での信号伝達の量を低減することができることとなる。
【００４５】
Ｅ−ＤＣＨリソースが共有される場合、Ｅ−ＲＡＣＨ送信フェーズの継続時間を制限することができる。この制限により、ＮｏｄｅＢは、ハッピービット機構を介してＷＴＲＵを満たすために、Ｅ−ＲＧＣＨでの許可を適応させるのに必要な時間が十分ない場合がある。したがって、ハッピービットは、Ｅ−ＤＰＣＣＨで送信されない場合がある。
【００４６】
ＷＴＲＵが新しい許可を必要とすることをハッピービットの値が示している場合、送信バッファ状況をＮｏｄｅＢに知らせるために、スケジューリング情報（ＳＩ）を、第１のＥ−ＲＡＣＨ送信で送信することができる。
【００４７】
あるいは、ＳＩは、ハッピービットが取った値にかかわらず、第１の送信で送信することができる。新しいデータが送信バッファに届いた場合、ＷＴＲＵは、新しいＳＩをＮｏｄｅＢに送信し、Ｅ−ＡＧＣＨで応答を待って、新しいデータを現在のＥ−ＲＡＣＨメッセージ部分の一部として送信することができるかどうかを決定するように構成することができる。新しい許可によって、データを現在のＥ−ＲＡＣＨメッセージ部分の一部として送信することができない場合、その送信を次の送信の機会まで遅らせてもよく、それは例えば、新しいＥ−ＲＡＣＨアクセスによるものでもよく、またはＣＥＬＬ＿ＤＣＨ状態への変更によるものでもよい。
【００４８】
あるいは、ＷＴＲＵは、新しいＳＩを送信せず、送信を次の機会まで遅らせるように構成することができ、それは新しいＥ−ＲＡＣＨアクセスによるものでもよく、またはＣＥＬＬ＿ＤＣＨ状態への変更によるものでもよい。この構成は、セル固有とすることができ、ブロードキャストチャネルを介して、またはＷＴＲＵ構成時にＲＲＣ信号伝達を使用してＷＴＲＵに送信する、または予め構成することができる。
【００４９】
さらに別の実施形態によれば、送信すべき情報が許容されたトランスポートブロックに収まらない場合、ＷＴＲＵは、やむを得ず新しいＥ−ＲＡＣＨ送信を開始することができる。これによって、任意のアップリンクスケジューリング情報、ＳＩまたはハッピービットのいずれかの送信の必要を無くすことができる。
【００５０】
Ｅ−ＤＰＣＣＨの送信に関連付けられているオーバーヘッドを削除することができる。
Ｅ−ＤＰＣＣＨに関連付けられているビットの一部、例えば、ハッピービットおよび冗長バージョンビットは、Ｅ−ＤＰＣＣＨから削除することができる。Ｅ−ＴＦＣＩビットをさらに削除することによって、Ｅ−ＤＰＣＣＨは、もはや送信する必要はなく、結果として電力のかなりの節約が可能である。
【００５１】
Ｅ−ＴＦＣＩ（転送フォーマット組合せインジケータ）ビットを削除するために、ＮｏｄｅＢでブラインドトランスポートフォーマット組合せ検出（ｂｌｉｎｄ  ｔｒａｎｓｐｏｒｔ  ｆｏｒｍａｔ  ｃｏｍｂｉｎａｔｉｏｎ  ｄｅｔｅｃｔｉｏｎ）を実施することができる。操作を簡略化するために、可能なＥ−ＴＦＣ（トランスポートフォーマットチャネル）を所与のサブセットに限定することができ、これは、ブロードキャストチャネルを介して、または無線リソース接続（ＲＲＣ）メッセージングを使用して信号伝達することができる。
【００５２】
短い送信期間の間、ＤＰＣＣＨにおけるＦ−ＤＰＣＨおよびアップリンクＴＰＣコマンドは、必要ない場合があり、共に無くすことができる。ＷＴＲＵ送信電力は、ＲＡＣＨプリアンブル部分中に送信される最後の署名プリアンブルの電力に対して調整することができる。
【００５３】
実施形態
１．ＷＴＲＵ（無線送受信ユニット）における信号伝達の方法であって、最大再送回数の値を受信するステップと、複数のＨＡＲＱ（ハイブリッド自動再送要求）プロセスでデータを再送するステップとを含み、ＨＡＲＱプロセスの数は、最大再送回数の値によって制限される方法。
２．データを時間多重化するステップをさらに含む請求項１に記載の方法。
３．データが最大再送回数送信された後、ＷＴＲＵがＡＣＫ／ＮＡＣＫ（肯定応答／否定応答）信号を受信することをさらに含む請求項１または２に記載の方法。
４．データを連続的に送信することをさらに含む請求項１、２または３に記載の方法。
５．最大再送回数の値に等しいいくつかの送信時間間隔でデータを送信するステップと、ＡＣＫ／ＮＡＣＫ（肯定応答／否定応答）を受信するステップとをさらに含む請求項１〜４のうちのいずれか一項に記載の方法。
６．送信すべきＭＡＣ（媒体アクセス制御）ＰＤＵ（プロトコルデータユニット）の数を表す値を受信し、Ｅ−ＤＣＨ（拡張専用チャネル）のＥ−ＤＰＣＣＨ（拡張ダウンリンク物理制御チャネル）内で送信すべきＭＡＣ−ＰＤＵの数を送信するステップをさらに含む請求項１〜５のうちのいずれか一項に記載の方法。
７．ブロードキャストチャネルで冗長バージョンの複数のパラメータを受信するステップをさらに含む請求項１〜６のうちのいずれか一項に記載の方法。
８．ＲＲＣ（無線リソース制御）メッセージで冗長バージョンのパラメータを受信するステップをさらに含む請求項１〜７のうちのいずれか一項に記載の方法。
９．複数のＷＴＲＵ（無線送受信ユニット）における信号伝達の方法であって、最大再送回数の値を受信するステップと、複数のＨＡＲＱ（ハイブリッド自動再送要求）プロセスでデータを再送するステップとを含み、ＨＡＲＱプロセスの数は、最大再送回数の値によって制限され、複数のＷＴＲＵは時間多重化される方法。
１０．ＷＴＲＵ（無線送受信ユニット）に許可を信号伝達する方法であって、ＷＴＲＵがセル固有の許可を受信するステップを含む方法。
１１．ＷＴＲＵがブロードキャストチャネルで許可を受信するステップをさらに含む請求項１０に記載の方法。
１２．ＷＴＲＵが構成ルーチンを開始するステップと、ＷＴＲＵがＲＲＣ（無線リソース制御）メッセージで許可を受信するステップとをさらに含む請求項１０または１１に記載の方法。
１３．ＷＴＲＵ（無線送受信ユニット）に許可を送信する方法であって、ＷＴＲＵがセル固有の許可を受信するステップと、ＷＴＲＵがブロードキャストチャネルを介してセル固有の許可を受信するステップとを含む方法。
１４．許可は、固定の許可である請求項１０に記載の方法。
１５．ＡＩＣＨ（受信確認表示チャネル）での肯定応答信号の後の非アクティブ期間中、ＷＴＲＵが絶対的許可を受信するステップをさらに含む請求項１０に記載の方法。
１６．ＷＴＲＵが非サービス提供の相対的許可チャネルを監視するステップをさらに含む請求項１０に記載の方法。
１７．ＷＴＲＵ（無線送受信ユニット）に許可を送信する方法であって、ＷＴＲＵが共有Ｅ−ＤＣＨ（拡張専用チャネル）リソースに固有の許可を受信するステップを含む方法。
１８．ＷＴＲＵがブロードキャストチャネルで許可を受信するステップをさらに含む請求項１７に記載の方法。
１９．許可は、セル固有である請求項１７または１８に記載の方法。
２０．ＷＴＲＵが構成ルーチンを開始し、ＲＲＣ（無線リソース制御）メッセージで許可を受信するステップをさらに含む請求項１７〜１９のうちのいずれか一項に記載の方法。
２１．最大再送回数の値を含む信号を受信するように構成された受信機と、最大再送回数の値を決定し、複数のＨＡＲＱ（ハイブリッド自動再送要求）プロセスを構成し、ＨＡＲＱプロセスの数を最大再送回数値の値に限定するように構成されたプロセッサと、ＨＡＲＱプロセスでデータを送信するように構成された送信機とを含むＷＴＲＵ（無線送受信ユニット）。
２２．ブロードキャストチャネルを介してセル固有の許可を含む信号を受信するように構成された受信機と、セル固有の許可に基づいて、ＷＴＲＵを構成するように構成されたプロセッサとを含むＷＴＲＵ（無線送受信ユニット）。
２３．許可は、固定の許可である請求項２２に記載のＷＴＲＵ。
２４．受信機は、ＡＩＣＨ（受信確認表示チャネル）でＡＣＫ（肯定応答）信号の後の非アクティブ期間中に絶対的許可を受信するようにさらに構成されている請求項２２または２３に記載のＷＴＲＵ。
２５．プロセッサは、非サービス提供の相対的許可チャネルを監視するようにさらに構成されている請求項２２〜２４のうちのいずれか一項に記載のＷＴＲＵ。
【００５４】
上記では特徴および要素が特定の組合せで記載されているが、各特徴または要素は、他の特徴および要素無しに単独で、または他の特徴および要素の有無にかかわらず様々な組合せで使用することができる。本明細書に提供された方法またはフロー図は、汎用コンピュータまたはプロセッサによって実行するために、コンピュータ可読記憶媒体に組み込まれるコンピュータプログラム、ソフトウェア、またはファームウェアにおいて実施することができる。コンピュータ可読記憶媒体の例には、ＲＯＭ（読み取り専用メモリ）、ＲＡＭ（ランダムアクセスメモリ）、レジスタ、キャッシュメモリ、半導体メモリ装置、内蔵ハードディスクおよび取外式ディスクなどの磁気媒体、光磁気媒体、およびＣＤ−ＲＯＭディスクやＤＶＤ（デジタル多目的ディスク）などの光媒体などがある。
【００５５】
適したプロセッサには、一例として、汎用プロセッサ、専用プロセッサ、従来のプロセッサ、ＤＳＰ（デジタル信号プロセッサ）、複数のマイクロプロセッサ、ＤＳＰコアと関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）および／または状態機械などがある。
【００５６】
ソフトウェアと関連するプロセッサは、ＷＴＲＵ（無線送受信ユニット）、ＵＥ（ユーザ機器）、端末、基地局、ＲＮＣ（無線ネットワークコントローラ）、または任意のホストコンピュータで使用するための無線周波数送受信装置を実施するために使用することができる。ＷＴＲＵは、カメラ、ビデオカメラモジュール、テレビ電話、スピーカフォン、振動装置、スピーカ、マイクロフォン、テレビ送受信機、ハンズフリーヘッドセット、キーボード、Ｂｌｕｅｔｏｏｔｈ（登録商標）モジュール、ＦＭ（周波数変調）無線ユニット、ＬＣＤ（液晶ディスプレイ）表示装置、ＯＬＥＤ（有機発光ダイオード）表示装置、デジタル音楽プレーヤ、メディアプレーヤ、ビデオゲームプレーヤモジュール、インターネットブラウザ、および／または任意のＷＬＡＮ（無線ローカルエリアネットワーク）またはＵＷＢ（超広帯域）モジュールなど、ハードウェアおよび／またはソフトウェアに実装されるモジュールと共に使用することができる。
【図１】
0006042134.tif 000002
【図２】
0006042134.tif 000003
【図３】
0006042134.tif 000004
【図４】
0006042134.tif 000005
【図５】
0006042134.tif 000006
【図６】
0006042134.tif 000007
【図７】
0006042134.tif 000008
【図８】
0006042134.tif 000009